(57)【特許請求の範囲】
【請求項１】
演奏所及びこの演奏所から送信されるデジタル放送を受信しさらに外部に送信する親局送信所を含み、かつ前記演奏所及び前記親局送信所は現用系及び予備系の送信及び受信装置を有するデジタル放送送信系を監視するデジタル放送監視システムであって、
前記演奏所は前記演奏所及び前記親局送信所からの前記送信及び受信装置の動作状態情報に基づき、前記演奏所及び前記親局送信所内の前記送信及び受信装置を前記現用系から前記予備系に切替えさせる切替え制御信号を出力する送信系切替え手段を含むことを特徴とするデジタル放送監視システム。
【請求項２】
前記演奏所は前記演奏所内の送信装置の現用系及び予備系のいづれか一方の誤り率を測定する第１誤り率測定手段を含み、かつ前記親局送信所は前記親局送信所内の受信及び送信装置の現用系及び予備系のいづれか一方の誤り率を測定する第２誤り率測定手段を含み、前記送信系切替え手段は前記第１及び第２誤り率測定手段から出力される誤り率測定結果に基づき前記切替え制御信号を出力することを特徴とする請求項１記載のデジタル放送監視システム。
【請求項３】
前記第１誤り率測定手段はさらに外部からの信号を受信しその受信信号の誤り率も測定することを特徴とする請求項２記載のデジタル放送監視システム。
【請求項４】
前記第２誤り率測定手段はさらに前記親局送信所からの送信信号を受信しその受信信号の誤り率も測定することを特徴とする請求項２又は３記載のデジタル放送監視システム。
【請求項５】
前記送信系切替え手段は前記第１及び第２誤り率測定手段から出力される誤り率測定結果を基準値と比較する比較手段を含み、その比較結果に基づき前記切替え制御信号を出力することを特徴とする請求項２乃至４いずれかに記載のデジタル放送監視システム。
【請求項６】
さらに前記送信系切替え手段は前記演奏所及び前記親局送信所からの前記送信及び受信装置の動作状態情報に基づき、アラームを表示することを特徴とする請求項１乃至５いずれかに記載のデジタル放送監視システム。
【発明の詳細な説明】
【０００１】
【発明の属する技術分野】
本発明はデジタル放送監視システムに関し、特に演奏所及びこの演奏所から送信されるデジタル放送を受信しさらに外部に送信する親局送信所を含み、かつ前記演奏所及び前記親局送信所は現用系及び予備系の送信及び受信装置を有するデジタル放送送信系を監視するデジタル放送監視システムに関する。
【０００２】
【従来の技術】
上述の現用系及び予備系の送信及び受信装置を有するデジタル放送監視システムは知られている。この種の技術の一例が特開平５−２３５９０８号公報（文献１）及び特許第２７３５５１１号公報（文献２）に開示されている。文献１記載の技術はデータ伝送回線の受信信号の誤り符号を計数し保護して誤り率の劣化を検出しアラームを出力する誤り率劣化検出回路において、該回線の受信信号のフレーム同期の同期外れや受信信号の断時に送出される信号を制御信号１として、該制御信号１が該誤り率検出回路の動作を外部からリセットすると同時にアラームを送出する、というものである。
【０００３】
一方、文献２記載の技術は現用、予備の両方の受信系における障害を検出し、かつ一方で受信信号の信号レベルを監視し、予め設定された異なる２つの値で発生する受信入力警報の発生時間差を比較し、この時間差が一定時間以上の場合に対向局における送信系を切り替えるための切替制御信号の出力を停止することで、サイレントフェイルュア状態を検出して回線の信頼性を向上することができるとともに、フェ−ジングや降雨等の自然現象による回線劣化時に送信側での不要な切り替えを行うことが防止される、というものである。
【０００４】
【発明が解決しようとする課題】
この種のデジタル放送は今までのアナログ放送と異なり、映像、音声、データを同様にデジタル信号として扱い伝送するため、誤り率の劣化がシステムの異常、装置の劣化の定量的な判断の一つになる。しかし、演奏所及びこの演奏所から送信されるデジタル放送を受信しさらに外部に送信する親局送信所を含むデジタル放送送信系を監視するデジタル放送監視システムにおいて、演奏所及び親局送信所における送信及び受信装置の誤り率の劣化を検出し、異常と思われる装置を早急に予備装置に自動で切り替えるシステムは従来存在しなかった。上記文献１及び２にもこの課題を解決する手段は開示されていない。
【０００５】
そこで本発明の目的は演奏所及び親局送信所における送信及び受信装置の誤り率の劣化を検出し、異常と思われる装置を早急に予備装置に自動で切り替えることが可能なデジタル放送監視システムを提供することにある。
【０００６】
【課題を解決するための手段】
前記課題を解決するために本発明は、演奏所及びこの演奏所から送信されるデジタル放送を受信しさらに外部に送信する親局送信所を含み、かつ前記演奏所及び前記親局送信所は現用系及び予備系の送信及び受信装置を有するデジタル放送送信系を監視するデジタル放送監視システムであって、前記演奏所は前記演奏所及び前記親局送信所からの前記送信及び受信装置の動作状態情報に基づき、前記演奏所及び前記親局送信所内の前記送信及び受信装置を前記現用系から前記予備系に切替えさせる切替え制御信号を出力する送信系切替え手段を含むことを特徴とする。
【０００７】
本発明によれば、演奏所及び親局送信所の各々が自所内の送信及び受信装置の動作状態情報を演奏所内の送信系切替え手段に出力する。送信系切替え手段はこれらの動作状態情報に基づき、現用系から予備系に切替えさせる切替え制御信号を出力する。
【０００８】
【発明の実施の形態】
まず、本発明の概要について説明する。本発明では、演奏所及びこの演奏所から送信されるデジタル放送を受信しさらに外部に送信する親局送信所からなる送信システムにおける現用系の各ポイント及び実際の受信電波の誤り率を監視することにより、送信システム設備の経年変化による特性劣化もしくは故障による出力断、あるいは正常なサービスが出来ない等の問題を早期に発見することが可能である。又、アラーム発生の際、システムの中のどの装置において特性劣化が起こっているかを特定し、演奏所側でアラームとして表示し、さらに異常と思われる装置を予備装置に自動で切り替えることが可能である。
【０００９】
以下、本発明の実施の形態について添付図面を参照しながら説明する。図１は本発明に係るデジタル放送監視システムの第１の実施の形態の構成図である。同図を参照すると、デジタル放送監視システムは演奏所３０と、親局送信所４０とからなる。
【００１０】
演奏所３０はシステム監視制御装置（親機）１と、システム監視制御装置（子機）２と、システム切替器３，４と、測定信号切替器５と、デジタル放送受信機６と、誤り率測定器７と、ＯＦＤＭ（ｏｒｔｈｏｇａｎａｌ  ｆｒｅｑｕｅｎｃｙ  ｄｉｖｉｓｉｏｎ  ｍｕｌｔｉｐｌｅｘｉｎｇ）変調器（現用）２１と、ＯＦＤＭ変調器ＳＴＬ（ｓｔｕｄｉｏ  ｔｏ  ｔｒａｎｓｍｉｔｔｅｒ  ｌｉｎｋ）送信装置（現用）２３と、ＳＴＬ送信装置（予備）２４と、ＳＴＬ送信アンテナ２５と、エアモニアンテナ２６とを含んで構成される。
【００１１】
親局送信所４０はシステム監視制御装置（子機）８と、システム切替器９，１０と、測定信号切替器１１と、デジタル放送受信機１２と、誤り率測定器１３と、放送波送信アンテナ２３と、エアモニアンテナ２４と、ＳＴＬ受信装置（現用）２７と、ＳＴＬ受信装置（予備）２８と、デジタル送信機（現用）２９と、デジタル送信機（予備）３１と、放送波送信アンテナ３２と、エアモニアンテナ３３とを含んで構成される。
【００１２】
演奏所３０において、システム監視制御装置（親機）１はシステム監視制御装置（子機）２及び親局送信所４０のシステム監視制御装置（子機）８との通信機能を有し、通信機能によって取得した測定データの表示、評価を行なう。又、評価の結果、異常が見られた際、アラーム発信を行ない、システム監視制御装置（子機）２，８に対して、制御信号を送出する。システム監視制御装置（子機）２は誤り率測定器７からのデータ取得及びシステム切替器３，４の状態監視を行なう機能を有し、得られた情報を保存し、一定時間ごとにシステム監視制御装置（親機）１に伝送する。又、システム監視制御装置（親機）１からの制御信号を受け、システム切替器３，４の切替制御を行なう。
【００１３】
システム切替器（具体的に３はＯＦＤＭ変調器用、４はＳＴＬ送信装置用）３，４はシステム監視制御装置（子機）２からの制御信号により現用運用装置出力から予備装置出力へと切り替える。測定信号切替器５はＯＦＤＭ変調器出力信号、ＳＴＬ送信装置出力信号、エアモニアンテナ入力信号を一定時間ごとに切り替え、測定信号をデジタル放送受信機６に入力する。デジタル放送受信機６は測定信号切替器５より入力された信号に対し、ＯＦＤＭ復調を行ない誤り率測定用の信号を出力する。誤り率測定器７は装置の特性劣化及び電波伝播上で発生するデジタル放送のビット誤り率の測定を行ない、システム監視制御装置（子機）２にデータを伝送する。
【００１４】
ＳＴＬ送信アンテナ２５は切替器４の出力、即ち現用ＳＴＬ送信装置２３又は予備用ＳＴＬ送信装置２４用の送信アンテナである。又、エアモニアンテナ２６は演奏所３０近傍の電波をモニタ（受信）するアンテナである。
【００１５】
親局送信所４０において、システム監視制御装置（子機）８は誤り率測定器１３からのデータ取得、システム切替器９，１０の状態監視を行なう機能を有し、得られた情報を保存し、一定時間ごとにシステム監視制御装置（親機）１に伝送する。又、システム監視制御装置（親機）１からの制御信号を受け、システム切替器９，１０の切替制御を行なう。システム切替器（具体的に９はＳＴＬ受信装置用、１０はデジタル送信機用）９，１０は、システム監視制御装置（子機）８からの制御信号により現用運用装置出力から予備装置出力へと切り替える。
【００１６】
測定信号切替器１１はＳＴＬ受信装置出力信号、デジタル送信機出力信号、エアモニアンテナ入力信号を一定時間ごとに切り替え、測定信号をデジタル放送受信機１２に入力する。デジタル放送受信機１２は測定信号切替器１１より入力された信号に対し、ＯＦＤＭ復調を行ない誤り率測定用の信号を出力する。誤り率測定器１３は装置の特性劣化及び電波伝播上で発生するデジタル放送のビット誤り率の測定を行ない、システム監視制御装置（子機）８にデータを伝送する。
【００１７】
放送波送信アンテナ３２は切替器１０の出力、即ち現用デジタル送信機２９又は予備用デジタル送信機３１用の送信アンテナである。又、エアモニアンテナ３３は放送波送信アンテナ３２からの電波をモニタ（受信）するアンテナである。次に、図１を参照して本発明の動作を説明する。親局送信所４０において、送信システムの現用系の各ポイント、具体的にはＳＴＬ受信装置出力信号、デジタル送信機出力信号、又、エアモニアンテナ入力信号を測定信号切替器１１に入力し、デジタル放送受信機１２に一定時間ごとに信号を切り替え出力する。デジタル放送受信機１２は入力信号のＯＦＤＭ復調を行ない、誤り率測定用信号を誤り率測定器１３に出力する。
【００１８】
誤り率測定器１３は、デジタル放送受信機１２より出力されたデジタル信号のビット誤り率の測定を行なう。システム監視制御装置（子機）８において誤り率測定のデータ及びシステム切替器９，１０の状態を収集、保存する。システム監視制御装置（子機）８に貯えられた情報は、システム監視制御装置（親機）１に一定時間ごとに伝送され、誤り率測定結果、システム切替器の状態が表示されると共に、誤り率のデータとあらかじめ決められた基準値とが比較され、データの評価が行なわれる。その結果、基準値を下回っているデータがあれば、アラームを表示すると共に、異常と思われる装置を特定し、予備装置へ切り替えるよう、制御信号をシステム監視装置（子機）８に対して送出する。
【００１９】
システム監視装置（子機）８はその制御信号を受け取り、システム切替器９もしくはシステム切替器１０に対して切り替えの制御を行い現用装置運用から予備装置運用に切り替えを行なう。
【００２０】
又、演奏所３０においても、ＯＦＤＭ変調器出力信号、ＳＴＬ送信装置出力信号、エアモニアンテナ入力信号についての誤り率測定を上記と同様な手順で行ない、システム監視制御装置（子機）２により、誤り率測定結果及びシステム切替器３，４の状態を収集し、一定時間ごとにシステム監視制御装置（親機）１に伝送する。
【００２１】
システム監視制御装置（親機）１において上記と同様に情報、データの処理を行ない、異常と思われる装置があればアラーム表示、予備装置運用に切替を行なう。
【００２２】
このようにして、現用系の重要ポイントの誤り率を監視することにより、問題の早期発見、アラーム発生の際、異常と思われる装置を即座に特定し予備系統に切り替え、問題を改善することが可能になる。
【００２３】
次に、第２の実施の形態について説明する。図２は第２の実施の形態の構成図である。同図を参照すると、デジタル放送監視システムは第１の実施の形態と同様の演奏所３０と、親局送信所５０と、中継局６０とから構成されている。親局送信所５０と中継局６０との構成の詳細については図示するに止どめる。要するに、送信所５０と中継局６０の各々にも演奏所３０のシステム監視装置（子機）２と同様のシステム監視装置（子機）５１及び６１が設けられており、演奏所３０のシステム監視装置（親機）１はシステム監視装置（子機）２，５１及び６１からの誤り率測定結果に基づき、システム監視装置（子機）２，５１及び６１に対し予備装置への切替え制御信号を送出する。
【００２４】
このように、演奏所と親局送信所との２者の組み合わせのみならず、図２に示すような演奏所、親局送信所及び中継局の３者の組み合わせ、あるいは４者以上の組み合わせにも本発明を適用することが可能である。
【００２５】
又、本発明ではシステム監視装置（親機）１を演奏所３０内に設けたが、このシステム監視装置（親機）１を親局送信所４０，５０あるいは中継局６０に設けることも可能である。
【００２６】
又、上述した実施の形態においては、演奏所、親局送信所の伝送方式をＳＴＬリンクによって説明したが、例えば光ケーブルによる伝送等を、有線／無線伝送方式に関わらず本発明に適用することが可能である。
【００２７】
【発明の効果】
本発明によれば、演奏所及びこの演奏所から送信されるデジタル放送を受信しさらに外部に送信する親局送信所を含み、かつ前記演奏所及び前記親局送信所は現用系及び予備系の送信及び受信装置を有するデジタル放送送信系を監視するデジタル放送監視システムであって、前記演奏所は前記演奏所及び前記親局送信所からの前記送信及び受信装置の動作状態情報に基づき、前記演奏所及び前記親局送信所内の前記送信及び受信装置を前記現用系から前記予備系に切替えさせる切替え制御信号を出力する送信系切替え手段を含むため、演奏所及び親局送信所における送信及び受信装置の誤り率の劣化を検出し、異常と思われる装置を早急に予備装置に自動で切り替えることが可能となる。
【００２８】
具体的には、第１に、送信システム設備の経年変化による特性劣化、装置故障を早期に捉えることが出来る。第２に、どの装置において特性劣化、故障が起こっているかを特定することが出来る。第３に、異常と思われる装置を早急に予備装置に自動で切り替えることが出来、システムの使用者が親局送信所まで行く必要がない。
【図面の簡単な説明】
【図１】本発明に係るデジタル放送監視システムの第１の実施の形態の構成図である。
【図２】第２の実施の形態の構成図である。
【符号の説明】
１  システム監視制御装置（親機）
２，８，５１，６１  システム監視制御装置（子機）
３，４，９，１０  システム切替器
７，１３  誤り率測定器
３０  演奏所
４０，５０  親局送信所
６０  中継局
【図１】
0003603720.tif 000002
【図２】
0003603720.tif 000003